(57)【要約】【課題】  電子ペーパーを機能に支障を生じさせることなく他の電子ペーパーと手軽に束ねることができ、電子ペーパーの使用環境をより快適なものする。【解決手段】  電子ペーパーに係合部３０を形成して、他の電子ペーパーＥＰの係合部３０と雄型・雌型で係合させることにより、これら電子ペーパーＥＰを手軽に複数の電子ペーパーを束ねて固定する。このような係合構造では、ホッチキス止めのように穴をあけてしまうことがないので、電子ペーパーＥＰに設けられた表示部２等に機能障害を生じさせてしまうことがない。また、束ねられた電子ペーパーＥＰのページ捲り操作をし易いように、係合部３０との境界に柔軟な折り曲げ部３２が設けられる。【選択図】  図２
2006091226.tif 000002
【特許請求の範囲】
【請求項１】
電子ペーパーに係合部を形成して、当該係合部の係合により他の電子ペーパーと束ねることができることを特徴とする電子ペーパー。
【請求項２】
請求項１に記載の電子ペーパーにおいて、
電子ペーパーは雄型と雌型の少なくとのいずれか一方の形状をなす係合部が形成され、他方の形状をなす係合部を有する他の電子ペーパーと係合部同士を係合させて束ねられることを特徴とする電子ペーパー。
【請求項３】
請求項２に記載の電子ペーパーにおいて、
前記係合部は、複数の電子ペーパーを重ねて型圧しして変形させることにより形成されることを特徴とする電子ペーパー。
【請求項４】
請求項４に記載の電子ペーパーにおいて、
前記係合部を形成する部位と電子ペーパー本体との間には電子ペーパー本体の撓みを防止する補強部が設けられていることを特徴とする電子ペーパー。
【請求項５】
請求項１に記載の電子ペーパーにおいて、
係合部は面ファスナーにより形成され、面ファスナーの係合により他の電子ペーパーと束ねることができることを特徴とする電子ペーパー。
【請求項６】
請求項１に記載の電子ペーパーにおいて、
係合部はマグネットにより形成され、係合部の磁力係合により他の電子ペーパーと束ねることができることを特徴とする電子ペーパー。
【請求項７】
請求項１に記載の電子ペーパーにおいて、
係合部は粘着材により形成され、係合部の粘着係合により他の電子ペーパーと束ねることができることを特徴とする電子ペーパー。
【請求項８】
請求項５乃至請求項７のいずれか１項に記載の電子ペーパーにおいて、
電子ペーパーは他の電子ペーパーに当接して位置決めをする位置決め部を有している
【請求項９】
請求項１に記載の電子ペーパーにおいて、
係合部は電子ペーパーに設けたスリットにより形成され、スリットへの挿し込み係合により他の電子ペーパーと束ねることができることを特徴とする電子ペーパー。
【請求項１０】
請求項１に記載の電子ペーパーにおいて、
係合部は電子ペーパーに設けた弾性を有する鉤部により形成され、鉤部の弾性復元力での係合により他の電子ペーパーと束ねることができることを特徴とする電子ペーパー。
【請求項１１】
請求項１に記載の電子ペーパーにおいて、
係合部は電子ペーパーに設けたベルトにより形成され、ベルトに挟んで係合させることにより他の電子ペーパーと束ねることができることを特徴とする電子ペーパー。
【請求項１２】
請求項１に記載の電子ペーパーにおいて、
係合部は電子ペーパーに設けた弾性体を伸張させることにより形成され、当該伸張させた弾性体を係合させることにより他の電子ペーパーと束ねることができることを特徴とする電子ペーパー。
【請求項１３】
請求項１乃至請求項２のいずれか１項に記載の電子ペーパーにおいて、
前記係合部を形成する部位と電子ペーパー本体との間には柔軟な折り曲げ部が設けられていることを特徴とする電子ペーパー。
【請求項１４】
請求項１乃至請求項１３のいずれか１項に記載の電子ペーパーにおいて、
前記係合部を形成する部位は電子ペーパー本体に着脱可能に設けられることを特徴とする電子ペーパー。
【発明の詳細な説明】
【技術分野】
【０００１】
本発明は、画像情報を表示部に無電源状態で表示保持し、当該画像情報を書き換え可能な電子ペーパーに関し、特に、複数の電子ペーパーを束ねて固定することができる電子ペーパーに関する。
【背景技術】
【０００２】
ネットワークから取得した情報や文書処理装置で作成された文書等の情報は、パーソナルコンピュータのディスプレイ画面に画像表示する、或いは、プリンタによって紙媒体（用紙）に画像を印刷すると言った方法でユーザの閲覧に供されている。
このような画像情報の閲覧において、ディスプレイ画面に表示する方法に較べて、画像情報を用紙に印刷して表示する方法は、何時でも何処にでも容易に持ち運びすることができ、無電源の状態で画像情報を閲覧することができ、しかも、複数の画像情報を複数枚の用紙に印刷することにより複数の画像情報を同時に閲覧することができるという利点がある。
【０００３】
近年では、紙媒体である用紙にとって代わることが可能な表示媒体として、画像情報を表示部に無電源状態で表示保持することができ、しかも、用紙の如く薄型で持ち運び自在である電子ペーパーが開発されている。
電子ペーパーは、無電源状態で画像を表示保持する表示部を有した表示装置であり、例えば、電子データに基づいて自己で画像を表示部に書き込む機能を有する自己書き込み型電子ペーパーと、投影された画像を表示部に保持する光書き込み型電子ペーパーとがある。
このような電子ペーパーは、用紙と異なって表示部に表示保持した画像を消去したり上書きすることが可能であり、表示保持する画像を更新したり消去して、繰り返し使用することができるので紙資源の節約等の観点からも利用促進が望まれている。
【０００４】
ここで、このような電子ペーパーに関して、電子ペーパーを電子ペーパーファイルに着脱可能とし、着脱状態に応じて表示部への画像の表示処理を行う発明が提案されている（特許文献１参照。）。
また、予め関連付けた複数のデータを複数の電子ペーパーへ無線送信して、各電子ペーパーで画像を表示させる発明が提案されている（特許文献２参照。）。
また、送信用電子ペーパーと受信用電子ペーパーとを電子ペーパーファイルに装着して、電子ペーパー間でコンテンツを送信する発明が提案されている（特許文献３参照。）。
また、複数の電子ペーパーを装着することができるファイル装置から、各電子ペーパーへデータを無線して表示させる発明が提案されている（特許文献４参照。）。
また、ユーザの行動範囲に設けられた書き込み装置により、電子ペーパー等の表示装置を保持したユーザが書き込み装置近傍を通過する毎に表示装置が表示する内容を更新する発明が提案されている（特許文献５参照。）。
【特許文献１】特開２００１―３１２２２７号公報
【特許文献２】特開２００２―９１７４９号公報
【特許文献３】特開２００２―３００３３３号公報
【特許文献４】特開２００３―２２２５７号公報
【特許文献５】特開２００２―２４８６５号公報
【発明の開示】
【発明が解決しようとする課題】
【０００５】
上記のように電子ペーパーは用紙と同等に用いることができ、例えば、複数の電子ペーパーに画像情報を表示保持させて閲覧したり保存したりすることができる。
ここで、複数の用紙を扱う場合には、複数の用紙にパンチ穴をあけてファイルに綴じたり、複数の用紙をホッチキス止めして束に纏めたりすることが行われている。
【０００６】
しかしながら、電子ペーパーは、用紙より優れた機能を実現するために、画像情報を書き換え可能な表示部や表示処理等に必要な処理機能部を備えていることから、用紙と同様に、任意の位置にパンチ穴をあけたりホッチキス止めすると、これら表示部や処理機能部が破損してしまうおそれがあり、その場で手軽に複数の電子ペーパーを束ねて固定する方法がなかった。
【０００７】
本発明は、機能に支障を生じさせることなく、ユーザが手軽に複数の電子ペーパーを束ねて固定することができ電子ペーパーを提供することを目的としている。
【課題を解決するための手段】
【０００８】
本発明では、電子ペーパーに係合部を形成して、当該係合部の係合により他の電子ペーパーと束ねることで、電子ペーパーへの孔あけで電子ペーパーの機能に支障を生じさせるような事態を招くことなく、手軽に複数の電子ペーパーを束ねて固定することができるようにしている。
【０００９】
例えば、電子ペーパーに雄型と雌型の少なくとのいずれか一方の形状をなす係合部を形成し、他方の形状をなす係合部を有する他の電子ペーパーと係合部同士を係合させて束ねる。
なお、このような係合部は、電子ペーパーに予め形成しておくようにしてもよく、また、複数の電子ペーパーを重ねて型圧しして変形させることにより形成するようにしてもよい。なお、して係合部を形成する場合には、係合部を形成する部位と電子ペーパー本体との間に電子ペーパー本体の撓みを防止する補強部を設けておくのが好ましい。
【００１０】
また、係合部は、面ファスナーにより形成して面ファスナーの係合により他の電子ペーパーと束ねるようにしてもよく、また、マグネットにより形成して係合部の磁力係合により他の電子ペーパーと束ねるようにしてもよく、また、粘着材により形成して係合部の粘着係合により他の電子ペーパーと束ねるようにしてもよい。
なお、このような係合方法では、電子ペーパーに他の電子ペーパーに当接して位置決めをする位置決め部を設けておくのが好ましく、位置決めにより複数の電子ペーパーを揃えて束ねることができる。
【００１１】
また、係合部は、電子ペーパーに設けたスリットにより形成してスリットへの挿し込み係合により他の電子ペーパーと束ねるようにしてもよく、また、電子ペーパーに設けた弾性を有する鉤部により形成して鉤部の弾性復元力での係合により他の電子ペーパーと束ねるようにしてもよく、また、電子ペーパーに設けたベルトにより形成してベルトに挟んで係合させることにより他の電子ペーパーと束ねるようにしてもよく、また、電子ペーパーに設けた弾性体を伸張させることにより形成して当該伸張させた弾性体を係合させることにより他の電子ペーパーと束ねるようにしてもよい。
【００１２】
なお、係合部を形成する部位と電子ペーパー本体との間に柔軟な折り曲げ部を設けておくのが好ましく、これによって、束ねられた電子ペーパーを捲り易くし、更には、捲り作業に際して電子ペーパーに無理な曲げが加わることによる機能故障を防止することができる。
また、係合部を形成する部位は電子ペーパー本体に着脱可能に設けるのが好ましく、係合部が破損してしまったような場合に交換したり、不要な場合には取り外せるようにするのが好ましい。
【発明の効果】
【００１３】
本発明によると、電子ペーパーに係合部を形成したため、電子ペーパーを機能に支障を生じさせることなく他の電子ペーパーと手軽に束ねることができ、電子ペーパーの使用環境をより快適なものにして電子ペーパーの利用促進を図ることができる。
【発明を実施するための最良の形態】
【００１４】
本発明を実施例に基づいて具体的に説明する。
まず、本発明が適用される電子ペーパーの一例について、図１５〜図２０を参照して基本的な構成を説明する。
電子ペーパーＥＰは、画像の記録方式に違いにより大別して、図１５〜図１７に示す自己書き込み型と、図１８〜図２０に示す光書き込み型とがあり、いずれの形式にあっても紙の様に薄型の装置である。
【００１５】
図１５（ａ）には自己書き込み型電子ペーパーＥＰを正面視して示し、同図（ｂ）には当該自己書き込み型電子ペーパーＥＰを側面視で示してある。図示の電子ペーパーＥＰは画像を表示保持する表示部２と表示灯データの通信や表示処理等の処理を司る処理部３とを有しており、同図（ａ）には処理部３に内蔵されている諸機能部も表してある。
自己書き込み型電子ペーパーＥＰは、例えばＡ４版の用紙のような大きさの樹脂等を基材として構成された薄型表示装置であり、大部分の面積を占める表示部２の一片に処理部３が設けられている。
【００１６】
処理部３には、表示部２を駆動するドライバ４、外部と通信するための通信部５、電子データを読み書き自在に保持するメモリ６、種々な処理を司るプロセッサ７、通信部５やプロセッサ７等の駆動電力を供給するバッテリ８、画像表示に対する指示等のユーザ操作入力を受け付けるボタン等の操作部９が設けられている。
自己書き込み型電子ペーパーＥＰは、外部の通信機能を有する装置と通信部５で通信することにより、メモリ６に記憶する電子データ（画像データ等）を送受信し、また、これら電子データをメモリ６に保持することができる。
【００１７】
更に、自己書き込み型電子ペーパーＥＰは、メモリ６に保持したデータに基づいてドライバ４が表示部２に画像を書き込むことことができ、ドライバ４の駆動電力を除去しても表示部２に画像情報を表示状態で保持し続ける機能を有している。
自己書き込み型電子ペーパーＥＰは、表示部２の断面構造を表す図１７に示すように、複写機にトナーとして利用されている微細な着色粒子（図示の例では、白色粒子１１と黒色粒子１２）を少なくとも表面側が透明な表裏一対の電極１３間に封入し、これを少なくとも表面側が透明な表裏一対のフィルム基板１４で挟んだ構造となっている。着色粒子１１、１２が自由に移動できるように電極層１３間は空気層となっており、また、マトリックス状の電極層１３には着色粒子１１、１２との接触を防止する絶縁層１５が設けられている。なお、カラーフィルターを用いることにより、簡単な構造でカラー表示を実現することも可能である。
【００１８】
そして、自己書き込み型電子ペーパーＥＰは、表示部２の動作原理を表す図１６に示すように、電極１３に電圧を印加していない状態（但し、電極１３は前回の駆動時の極性に帯電している）では、負（マイナス）に帯電した白色粒子１１は裏面側に溜まる一方、正（プラス）に帯電した黒色粒子１２は表面側に溜まり、表示部２を表面側から目視すると表示部２は黒色な状態となる。そして、メモリ６に記憶されたデータに基づいてドライバ４が動作して表示する画像情報に応じたマトリックスの所要部の電極極性を反転させると、白色粒子１１と黒色粒子１２との位置関係が入れ替わって、表示部２に白色粒子１１と黒色粒子１２とのコントラストによる画像情報が表示される。なお、異なるデータに基づいてドライバ４を動作させることにより、白色粒子１１と黒色粒子１２とのコントラストにより表示部２に表示される画像情報を切り換えることができ、幾度も再使用することができる。
【００１９】
光書き込み型電子ペーパーＥＰは、例えばＡ４版の用紙のような大きさの樹脂等の基材で形成された薄型の装置である。
光書き込み型電子ペーパーＥＰは、例えば図１８に示すように、液晶パネル１に画像情報を表示し、電極１０に外部の電源から電圧を印加しながら光書き込み型電子ペーパーＥＰを液晶パネル１に重ねて光を照射することにより、液晶パネル１に表示させた画像情報を表示部２に転写して表示保持させることができる。
すなわち、光書き込み型電子ペーパーＥＰは電極１０に電圧を印加することで投影された画像を表示部２に転写し、電極１０に印加した電圧を除去した後も当該画像を表示状態で保持し続ける機能を有している。
【００２０】
光書き込み型電子ペーパーＥＰは、表示部２の断面構造を表す図２０に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００２１】
そして、光書き込み型電子ペーパーＥＰは、表示部２の動作原理を表す図１９に示すように、例えば画像書込み用の調光素子パネル（発光パネル）１に転写する画像を表示して表示部２に投影し、電極１０に電圧を印加すると、光の強弱を瞬時に反射濃度に変換して当該投影画像を保持する。そして、光書き込み型電子ペーパーＥＰは書き込みと消去を繰り返して幾度も再使用することができる。
【００２２】
なお、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的に画像情報を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーＥＰの表示部２としては、強誘電液晶に代表されるメモリ性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリ駆動の薄型の液晶やＥＬ素子を用いてもよい。
【００２３】
図１には、本発明に係る電子ペーパーＥＰの一例を正面視して示してある。
図１（ａ）に示す電子ペーパーＥＰは縁部の左側部に２つの係合部３０を設けて、同様に係合部が設けられた他の電子ペーパーと係合部同士を係合させることにより束ねて固定できるようにしている。
図１（ｂ）に示す電子ペーパーＥＰは縁部の左隅部に係合部３０を設けて、同様に係合部が設けられた他の電子ペーパーと係合部同士を係合させることにより束ねて固定できるようにしている。
【００２４】
図１のＡ−Ａ断面である図２（ａ）に示すように、係合部３０は一面側が雄型で他面側が雌型の形状を成しており、当該係合部３０は上記表示部２や処理部３が無い部位３１に形成されている。
したがって、図２（ｂ）に示すように、２つの電子ペーパーＥＰの雄型係合部３０と雌型係合部３０とを係合させることにより、これら電子ペーパーＥＰを束ねて固定することができ、更に他の電子ペーパーを同様に係合させることで幾枚もの電子ペーパーＥＰを束ねて固定することができる。
なお、係合固定力を高めるために、係合部３０は弾性を有するのが好ましい。また、束ねた時に最上層又は最下層となる電子ペーパーには雄型係合部３０と雌型係合部３０とのいずれか一方を形成してもよい。
【００２５】
また、本例では、図２に示すように、係合部を形成する部位３１と電子ペーパーＥＰの本体（すなわち、表示部２や処理部３側の部分）との間にノッチ３２を延在させて設けて折り曲げ部を形成しており、係合部３０を係合させて束ねた状態で電子ペーパーＥＰの本体を捲り操作すると、折り曲げ部３２で容易に折り曲がるようになっている。
したがって、複数枚を束ねた電子ペーパーＥＰをページ捲り操作しても、電子ペーパー本体には無理な曲げがかからず、表示部２や処理部３に故障を生じさせるような応力がかからない。
【００２６】
折り曲げ部３２は容易に折り曲げられるものであれば他の方法で形成することもでき、例えば、図１のＡ−Ａ断面である図３に示すように、別部材として構成した部位３１と電子ペーパーＥＰとを柔軟性を有する材料３２により接続して、係合部３０を形成した部位３１と電子ペーパー本体との間に折り曲げ部を延設してもよい。
【００２７】
このように係合部を形成する部位３１を電子ペーパーＥＰと別部材で構成して、任意な方法で部位３１を電子ペーパーＥＰに取り付けるようにすると、当該部位３１を電子ペーパーＥＰとは異なる材料から形成することができる。これにより、電子ペーパーＥＰの材質に関わらず、上記のように係合部３０に弾性を持たせるために、係合部を形成する部位３１を硬質ゴムやウレタン等の弾性材で形成することができ、また、後述するように、型圧しにより塑性変形する材料により構成することができる。
なお、本発明では折り曲げ部３２は必須ではないが、折り曲げ部３２を設けずとも係合部を形成する部位３１を柔軟性を通する材料をすることにより、捲り操作の柔軟性を賄うこともできる。
【００２８】
図４には本発明に係る電子ペーパーＥＰの他の一例を示し、同図（ａ）には係合前の状態を示し、同図（ｂ）には係合後の状態を示してある。
本例では、一方の電子ペーパーＥＰには雄型係合部として金属製のピン３０が設けられ、他方の電子ペーパーＥＰには雌型係合部として金属ピン３０が貫通する孔が設けられている。
したがって、金属ピン３０を孔３０に貫通させてこれら電子ペーパーＥＰを重ね、金属ピン３０の先端部を加締めることにより、これら電子ペーパーＥＰを束ねて固定することができる。
なお、本例では、電子ペーパーＥＰの間に用紙Ｐを挟み、これらを束ねて固定することもできる。
【００２９】
図５（ａ）には本発明に係る電子ペーパーＥＰの他の一例を正面視して示し、同図（ｂ）にはそのＡ−Ａ断面を示してある。
本例の電子ペーパーＥＰでは、係合部を形成する部位３１を電子ペーパーＥＰの縁部全周に延在させて設けており、表示部２や処理部３を含む電子ペーパー本体と当該部位３１との間に補強部３５が設けられている。
【００３０】
本例の補強部３５は肉厚にしたリブ状部で形成されており、これによって他の部分より剛性が高くなっている。
本例では、図６に示すように、係合部を形成する部位３１を型圧しして係合部３０を形成しており、当該部位３１に型圧しによる曲げを生じさせる力がかかっても、補強部３５により電子ペーパー本体の撓みが防止され、表示部２や処理部３に故障を生じさせるような応力が生じない。
【００３１】
なお、補強部３５は金属等の剛性の高い材料を延設する方法で形成してもよく、また、図５に例示すように係合部を形成する部位３１を電子ペーパーＥＰと別部材として形成して電子ペーパーに取り付ける場合には、剛性の高い材料を介在させて当該部位３１を電子ペーパーＥＰに取る付けることにより形成してもよい。
また、補強部３５は全周に設けずともよく、少なくとも、電子ペーパーＥＰの一辺や一隅と言った種々な位置に設けられる部位３１と電子ペーパ本体とを仕切るように設ければよい。
また、上記の折り曲げ部３２を併設してもよい。
【００３２】
したがって、本例では、図６（ａ）に示すように、型圧しハサミ３６を用いて複数枚を束ねた電子ペーパーＥＰの部位３１を挟圧することで、同図（ｂ）に示すように、型圧しハサミ３６の雄型３６ａと雌型３６ｂとでこれら部位３１が塑性変形されて係合状態の係合部３０が形成され、これら電子ペーパーＥＰが束ねて固定される。
【００３３】
ここで、図７に示すように、係合部を形成する部位３１を別部材で形成して、当該部位３１と電子ペーパーＥＰの縁部とにそれぞれ面ファスナー３８を設けて、これら面ファスナー３８の係合により、部位３１を電子ペーパーＥＰの縁部に着脱可能に取り付けてもよい。なお、面ファスナー以外に、マグネットや粘着テープ等を用いることもできる。
このような構成とすることにより、係合部を形成する部位３１を電子ペーパーＥＰから取外すことができるので、係合部を形成する部位３１を新たなものに交換することや、不要なときには取り外すことができる。
このような新たな部位３１と交換できる構成は、あまり弾性がなく、係合を外してしまうと再度係合させることができないような係合部３０を形成する場合に特に有効である。
【００３４】
係合部３０による係合固定の方法は種々な方法が可能であるが、例えば図８（ａ）に示すように、凹部形状の係合部３０を形成した電子ペーパーＥＰを複数枚重ね、同図（ｂ）に示すように、Ｃ型クリップ３９をこれら係合部３０に係合させることで、複数の電子ペーパーＥＰを束ねて固定するようにしてもよい。
【００３５】
図９（ａ）には本発明に係る電子ペーパーＥＰの他の一例を正面視して示し、同図（ｂ）にはそのＡ−Ａ断面を２枚の電子ペーパーＥＰを束ねた状態で示してある。
本例の電子ペーパーＥＰでは、係合部を形成する部位３１に面ファスナー４０を設けて係合部３０を構成しており、面ファスナー４０同士を係合させることにより、電子ペーパーＥＰを束ねている。
【００３６】
なお、面ファスナー４０に代えて、マグネットを設けて係合部３０を構成し、マグネット間の磁力による係合で複数の電子ペーパーＥＰを束ねてもよく、また、粘着材を設けて係合部３０を構成し、粘着材の粘着力による係合で複数の電子ペーパーＥＰを束ねてもよい。
また、図１０に示すように、電子ペーパーＥＰに他の電子ペーパーと位置合わせして当接する位置決めピン４１を設けるのが好ましく、係合させる位置関係が自由であることから却って位置合わせがし難い面ファスナー、マグネット、粘着材による係合によっても、複数の電子ペーパーＥＰを揃えての束ねることができる。
【００３７】
図１１（ａ）には本発明に係る電子ペーパーＥＰの他の一例を正面視して示し、同図（ｂ）には２枚の電子ペーパーＥＰを束ねた状態で示してある。
本例の電子ペーパーＥＰでは、隅部にスリット４２を設けて係合部３０を構成しており、一方の電子ペーパーＥＰのスリット４２に他方の電子ペーパーＥＰの角部を挿し込んで係合させることにより、これら電子ペーパーＥＰを束ねている。
なお、スリット４２は少なくともいずれか一方の電子ペーパーＥＰに設けられていればよく、また、スリット４２に用紙を挿し込んで束ねることもできる。
【００３８】
図１２（ａ）には本発明に係る電子ペーパーＥＰの他の一例を係合前の状態で示し、同図（ｂ）には係合後の状態で示してある。
本例の電子ペーパーＥＰでは、側部又は隅部に弾性を有する鉤部４３を設けて係合部３０を構成しており、他の電子ペーパーＥＰや用紙Ｐを鉤部４３の弾性復元力で挟持させた状態で係合させ、これにより、当該電子ペーパーＥＰと他の電子ペーパーＥＰや用紙Ｐとを束ねている。
【００３９】
図１３（ａ）には本発明に係る電子ペーパーＥＰの他の一例を正面視して示し、同図（ｂ）には係合後の状態の要部を示し、同図（ｃ）には同図（ａ）のＡ矢視を示してある。
本例の電子ペーパーＥＰでは、対角位置の隅部に弾性を有するバンド４４を設けて係合部３０を構成しており、他の電子ペーパーＥＰや用紙Ｐをバンド４４で挟持した状態で係合させて、これにより、当該電子ペーパーＥＰと他の電子ペーパーＥＰや用紙Ｐとを束ねている。
なお、バンド４４は、例えば四隅に設けたり一辺に設けたりといったように、１つ以上を縁部の任意の位置に設けることができる。
【００４０】
図１４（ａ）には本発明に係る電子ペーパーＥＰの他の一例を正面視して示し、同図（ｂ）には係合部３０を伸張させた状態の要部を示してある。
本例の電子ペーパーＥＰでは、側部や隅部に弾性体４５からなる係合部３０を設け、通常は平面状の弾性体４５を摘んで伸張させ、これを例えば他の電子ペーパーに設けたフックやファイルブックに設けたフックに引っ掛けることにより、当該電子ペーパーＥＰと他の電子ペーパーや用紙とを束ねている。
【図面の簡単な説明】
【００４１】
【図１】本発明の一例に係る電子ペーパを示す図である。
【図２】本発明の一例に係る電子ペーパーの断面構造を示す図である。
【図３】本発明の一例に係る電子ペーパーの断面構造を示す図である。
【図４】本発明の一例に係る電子ペーパーの断面構造を示す図である。
【図５】本発明の一例に係る電子ペーパを示す図である。
【図６】本発明の一例に係る電子ペーパーの断面構造を示す図である。
【図７】本発明の一例に係る電子ペーパーの断面構造を示す図である。
【図８】本発明の一例に係る電子ペーパーの断面構造を示す図である。
【図９】本発明の一例に係る電子ペーパを示す図である。
【図１０】本発明の一例に係る電子ペーパを示す図である。
【図１１】本発明の一例に係る電子ペーパを示す図である。
【図１２】本発明の一例に係る電子ペーパーの断面構造を示す図である。
【図１３】本発明の一例に係る電子ペーパを示す図である。
【図１４】本発明の一例に係る電子ペーパを示す図である。
【図１５】自己書き換え型電子ペーパーを示す図である。
【図１６】自己書き換え換え型電子ペーパーの動作原理を説明する図である。
【図１７】自己書き換え型電子ペーパーの構造を説明する図である。
【図１８】光書き込み型電子ペーパーを示す図である。
【図１９】光書き込み型電子ペーパーの動作原理を説明する図である。
【図２０】光書き込み型電子ペーパーの構造を説明する図である。
【符号の説明】
【００４２】
ＥＰ：電子ペーパー、  Ｐ：用紙、
２：表示部、  ３：処理部、
３０：係合部、  ３１：係合部を形成する部位、
３２：折り曲げ部、  ３５：補強部、
３６：型圧しハサミ、  ３６ａ：雄型、
３６ｂ：雌型、  ３８：面ファスナー、
４０：面ファスナー（マグネット、粘着材）、  ４１：位置決めピン、
４２：スリット、  ４３：鉤部、
４４：バンド、  ４５：弾性材、
【図１】
2006091226.tif 000003
【図２】
2006091226.tif 000004
【図３】
2006091226.tif 000005
【図４】
2006091226.tif 000006
【図５】
2006091226.tif 000007
【図６】
2006091226.tif 000008
【図７】
2006091226.tif 000009
【図８】
2006091226.tif 000010
【図９】
2006091226.tif 000011
【図１０】
2006091226.tif 000012
【図１１】
2006091226.tif 000013
【図１２】
2006091226.tif 000014
【図１３】
2006091226.tif 000015
【図１４】
2006091226.tif 000016
【図１５】
2006091226.tif 000017
【図１６】
2006091226.tif 000018
【図１７】
2006091226.tif 000019
【図１８】
2006091226.tif 000020
【図１９】
2006091226.tif 000021
【図２０】
2006091226.tif 000022